【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
溶液および／または溶融液の粘度の低下に適したポリマーブレンド組成物であって、
線状ポリマーおよび分岐付加コポリマーを含有し、
前記分岐付加コポリマーが付加重合法によって得られ、
前記分岐付加コポリマーが、２，０００Ｄａ〜１，５００，０００Ｄａの重量平均分子量を含み、
前記分岐付加コポリマーが、その末端以外の架橋によって共有結合によって連結している少なくとも２つの鎖を含み、
前記少なくとも２つの鎖が、少なくとも１つのエチレン性一価不飽和モノマーを含み、
前記架橋が、少なくとも１つのエチレン性多価不飽和モノマーを含み、
前記分岐付加コポリマーが、連鎖移動剤の残基および開始剤の残基を含み、
前記連鎖移動剤の残基は、エチレン性一価不飽和モノマーのモル数に基づいて０．０５から３０モル％の前記分岐付加コポリマーを含有し、
前記エチレン性一価不飽和モノマー（単数または複数）、エチレン性多価不飽和モノマー（単数または複数）および連鎖移動剤（単数または複数）のうち少なくとも１種が、親水性残基であり、
前記エチレン性一価不飽和モノマー（単数または複数）、エチレン性多価不飽和モノマー（単数または複数）および連鎖移動剤（単数または複数）のうち少なくとも１種が、疎水性残基であり、
前記エチレン性多価不飽和モノマー（単数または複数）とエチレン性一価不飽和モノマー（単数または複数）とのモル比が、１：１００〜１：４の範囲であり、
前記組成物は少なくとも１０質量％の前記分岐付加コポリマーを含有し、
前記連鎖移動剤はコバルトビス（ボロンジフルオロジメチルグリオキシメート）、ドデカンチオール、チオグリコール酸、チオプロピオン酸、チオグリセロール、システイン、システアミン、ポリ（システイン）、ポリ（プロピレングリコール）、チオブチロラクトン、キサントゲン酸塩、ジチオエステル、ジチオカルボナート、クミルフェニルジチオアセテート、オクタデシルメルカプタン、２−メチル−１−ブタンチオール、１，９−ノナンジチオール、２，４−ジフェニル−４−メチル−１−ペンテン、メルカプトウンデシレン酸、２−メルカプトエタノール、エチレングリコールモノチオグリコラートおよびエチレングリコールジチオグリコラートよりなる群から選択され、
前記組成物は溶液および／または溶融液に付加される場合、線状ポリマーを単独で含む溶液および／または溶融液の粘度と比較して、該溶液および／または溶融液の粘度を少なくとも２０％低下させるものである、前記組成物。
【請求項２】
前記分岐付加コポリマーに含有されるエチレン性一価不飽和モノマーおよびエチレン性多価不飽和モノマーが、ビニルまたはアリルであり、かつ、スチレン、アクリル、メタクリル、アリル、アクリルアミド、メタクリルアミド、酢酸ビニルまたは酢酸アリル、Ｎ−ビニルアミンまたはアリルアミンおよびビニルエーテルまたはアリルエーテルを含む群から選択されるものである、請求項１に記載のポリマーブレンド組成物。
【請求項３】
前記分岐付加コポリマーが、
スチレン、塩化ビニルベンジル、２−ビニルピリジン、４−ビニルピリジン、アクリル酸メチル、アクリル酸エチル、メタクリル酸メチル、メタクリル酸エチル、メタクリル酸ブチル、アクリル酸ブチル、アクリル酸、メタクリル酸、メタクリル酸２−ヒドロキシルエチル、アクリル酸２−ヒドロキシエチル、アクリル酸２−ヒドロキシプロピル、メタクリル酸２−ヒドロキシプロピル、アクリルアミド、メタクリルアミド、ジメチルアクリルアミド、ジメチル（メタ）アクリルアミド、メタクリル酸アリル、メタクリル酸ジメチルアミノエチル、アクリル酸ジメチルアミノエチル、メタクリル酸ジエチルアミノエチル、アクリル酸ジエチルアミノエチル、２，４−ジフェニル−４−メチル−１−ペンテン、ジビニルベンゼン、ジメタクリル酸エチレングリコール、ジアクリル酸エチレングリコール、ジメタクリル酸トリエチレングリコール、ジメタクリル酸テトラジエチレングリコール、ジアクリル酸テトラエチレングリコール、１，３，５−トリアリル−１，３，５−トリアジン−２，４，６（１Ｈ，３Ｈ，５Ｈ）−トリオン、ドデカンチオール、ヘキサンチオール、２−メルカプトエタノールおよびアゾビスイソブチロニトリル、ジ−ｔ−ブチルペルオキシド、ｔ−ブチルペルオキシベンゾアートから生じる断片
よりなる群から選択される単位を含む、請求項１または２に記載のポリマーブレンド組成物。
【請求項４】
前記分岐付加コポリマーが、
スチレン、２−ビニルピリジン、４−ビニルピリジン、アクリル酸メチル、メタクリル酸メチル、メタクリル酸ブチル、アクリル酸ブチル、アクリル酸、メタクリル酸、アクリルアミド、メタクリルアミド、ジメチルアクリルアミド、ジメチル（メタ）アクリルアミド、ジビニルベンゼン、ジメタクリル酸エチレングリコール、ジアクリル酸エチレングリコール、ジメタクリル酸トリエチレングリコール、ドデカンチオール、ヘキサンチオール、２−メルカプトエタノール、アゾビスイソブチロニトリル、ジ−ｔ−ブチルペルオキシドおよびｔ−ブチルペルオキシベンゾアート
よりなる群から選択される単位を含む、請求項１から３のいずれかに記載のポリマーブレンド組成物。
【請求項５】
更に、液体媒体を含有し、前記液体媒体は有機溶媒および／または水性溶媒を含む、ポリマーブレンド組成物。
【請求項６】
線状ポリマーを単独で含む組成物の重量平均分子量と比較して、重量平均分子量が、少なくとも５％高いものである、請求項１から５のいずれかに記載のポリマーブレンド組成物。
【請求項７】
前記分岐付加ポリマーが、２，０００Ｄａ〜１，５００，０００Ｄａの重量平均分子量を有するものである、請求項１から６のいずれかに記載のポリマーブレンド組成物。
【請求項８】
前記分岐付加ポリマーが、５，０００Ｄａ〜１，０００，０００Ｄａの重量平均分子量を有するものである、請求項１から６のいずれかに記載のポリマーブレンド組成物。
【請求項９】
前記分岐付加ポリマーが、５，０００Ｄａ〜７００，０００Ｄａの重量平均分子量を有するものである、請求項１から６のいずれかに記載のポリマーブレンド組成物。
【請求項１０】
線状ポリマーを単独で含む組成物と比較して、固体含量が５％以上多いものである、請求項１から９のいずれかに記載のポリマーブレンド組成物。
【請求項１１】
前記ポリマーブレンド組成物が処理または溶融される場合に、線状ポリマーを単独で含む組成物と比較して、処理温度または溶融温度が少なくとも５％低下させるものである、請求項１から１０のいずれかに記載のポリマーブレンド組成物。
【請求項１２】
溶液および／または溶融液の粘度の低下に適した、請求項１から１１のいずれかに記載のポリマーブレンド組成物であって、方程式１
ηブレンド＝ηＢＰαηＬＰ（１−α）
［式中、方程式１は、さまざまな溶液粘度の２種のポリマーのブレンドの理論的関係と関連し、
αは、第１の分岐ポリマーの重量割合であり、
ηΒΡは、同じ固体含量の分岐コポリマー溶液の粘度であり；
ηＬＰは、同じ固体含量の線状ポリマー溶液の粘度であり、ηブレンドは、ブレンドの測定された粘度である］
で表される線状ポリマーを含む溶液および／または溶融液に前記分岐付加コポリマーが付加されるものである、ポリマーブレンド組成物。
【請求項１３】
コーティング、インク、接着剤、滑沢剤、複合材料、油田回復剤、金属作動流体、冷却液、シーラント、フィルム、樹脂、布、射出成形、水処理、電子工学、化粧品、医薬品、農薬およびリソグラフィー
を含む群から選択される適用領域における、溶液および／または溶融液の粘度を少なくとも２０％低下させるための請求項１から１２のいずれかに記載のポリマーブレンド組成物の使用。
【請求項１４】
請求項１から１２のいずれかに記載の線状ポリマーおよび分岐付加コポリマーを含有するポリマーブレンド組成物を、溶液または溶融液に付加する工程を含む、線状ポリマーを単独で含有する溶液または溶融液の粘度を少なくとも２０％低下させる方法。